(57)【特許請求の範囲】
【請求項１】
カラオケ曲の歌詞を画面に表示可能な歌詞表示手段を備えたカラオケ装置において、
前記歌詞表示手段の画面への表示対象歌詞を部分表示する表示制御手段を具備し、
前記表示制御手段は、前記部分表示について、前記歌詞の全部に対して一部分を非表示にする割合を設定可能な設定機能を有していることを特徴とするカラオケ装置。
【請求項２】
前記表示制御手段は、前記設定機能により前記歌詞の全部に対して一部分を非表示にする割合が設定されると、その割合に応じた部分表示パターンを演算によって作成することを特徴とする請求項１記載のカラオケ装置。
【請求項３】
非表示となる歌詞の部分が予め設定されている部分表示パターンが記憶される記憶手段を備え、
前記表示制御手段は、前記部分表示を行う場合は、前記記憶手段に記憶されている部分表示パターンを読出して表示させる選択機能を有していることを特徴とする請求項１または２記載のカラオケ装置。
【請求項４】
前記表示制御手段は、前記部分表示について、前記設定機能または前記選択機能が切換え可能であることを特徴とする請求項３記載のカラオケ装置。
【請求項５】
前記表示制御手段は、前記非表示となる歌詞の部分をマスクした状態で表示することを特徴とする請求項１乃至４の何れかに記載のカラオケ装置。
【請求項６】
前記表示制御手段は、前記表示対象歌詞を部分表示する部分表示モードと、前記歌詞表示手段の画面への表示対象歌詞を全部表示する全表示モードと、前記歌詞を全く表示しない無表示モードとを選択可能に構成されていることを特徴とする請求項１乃至５の何れかに記載のカラオケ装置。
【請求項７】
前記歌詞表示手段は、歌い手用の第１の歌詞表示手段及び聞き手用の第２の歌詞表示手段を有し、
前記表示制御手段は、前記表示モードの選択を前記第１及び第２の歌詞表示手段について夫々独立に行い得るように構成されていることを特徴とする請求項６記載のカラオケ装置。
【請求項８】
歌い手の音声を入力して電気信号に変換する音声入力手段と、
前記カラオケ曲に合わせて歌われる旋律に対して予め定められている発声タイミングと、前記音声入力手段に入力された音声の発声タイミングとの一致度を判定するタイミング判定手段と、
このタイミング判定手段により得られた前記発声タイミングの一致度に基づいて、前記歌い手の歌唱力を採点する歌唱力採点手段とを具備したことを特徴とする請求項１乃至７の何れかに記載のカラオケ装置。
【請求項９】
前記音声入力手段により入力された電気信号に基づいて歌い手の音声を認識し、その認識された音声の文言と前記歌詞の文言との一致度を判定する音声認識判定手段を備え、
前記歌唱力採点手段は、前記音声認識手段により得られた前記文言の一致度をも加味して歌い手の歌唱力を採点することを特徴とする請求項８記載のカラオケ装置。
【発明の詳細な説明】
【０００１】
【発明の属する技術分野】
本発明は、カラオケ曲に合わせて歌詞を表示する歌詞表示手段を備えたカラオケ装置、または、それに加えて歌い手の歌唱力について採点を行う歌唱力採点手段を備えたカラオケ装置に関する。
【０００２】
【発明が解決しようとする課題】
カラオケ曲に合わせて歌詞を表示するＣＲＴなどのディスプレイを有した従来のカラオケ装置は、カラオケ曲の進行に合わせて、歌詞の全てを順次ディスプレイの画面に表示するようになっている。そして、聞き手の側は、歌い手がカラオケ曲に合わせてどの位上手に歌えるか、という興味を中心として楽しむものであった。
【０００３】
ところで、カラオケ曲をどの様に歌いこなすか、については、曲のメロディに加えてその曲の歌詞をどれ位正確に歌えるか、という要素も存在するはずである。しかしながら、従来のカラオケ装置では、この要素を加味して聞き手の側が歌い手の歌唱を楽しむことについては想定されていなかった。
【０００４】
また、従来のカラオケ装置で採点機能を有しているものでは、マイクに入力された歌い手の歌唱の音声について、歌唱の音程がカラオケ曲に合わせて歌われる旋律の音程に対してどれ位ずれていたかや、歌唱のテンポが正確であるか否かを歌詞の発声タイミングが所定のタイミングからどれ位ずれていたかに基づいて採点を行っている。従って、上記の様に、その曲の歌詞をどれ位正確に知っているかという要素を加味して、歌い手の歌唱力を採点するものは存在しなかった。
【０００５】
本発明は上記課題を解決するものであり、その目的は、歌い手が曲の歌詞をどれ位正確に歌えるか、という要素を加えてカラオケ曲を楽しむことができ、また、前記要素を加味して歌い手の歌唱力を採点することができるカラオケ装置を提供することにある。
【０００６】
【課題を解決するための手段】
上記目的を達成するため、本発明の請求項１記載のカラオケ装置は、カラオケ曲の歌詞を画面に表示可能な歌詞表示手段を備えたものにおいて、
前記歌詞表示手段の画面への表示対象歌詞を部分表示する表示制御手段を具備し、前記表示制御手段が、部分表示について、歌詞の全部に対して一部分を非表示にする割合を設定可能な設定機能を有することを特徴とする。
【０００７】
斯様に構成すれば、表示制御手段は、歌詞表示手段の画面に表示対象歌詞を部分表示するので、カラオケ曲の歌い手は、その曲の歌詞を正確に記憶していないと正しく歌うことが難しくなる。しかし、部分的には歌詞が表示されることにより、歌い手は、歌詞の知らない部分を類推して歌うことも可能である。従って、聞き手は、歌い手がいかに歌詞を正確に歌うことができるか、という新たな興味をもって聞く楽しみを得ることができると共に、歌い手が、カラオケ曲をどの様にして歌いこなすか、という娯楽性をも高めることができる。
【０００８】
前記表示制御手段を、前記設定機能により歌詞の全部に対して一部分を非表示にする割合が設定されると、その割合に応じた部分表示パターンを演算によって作成（請求項２）するように構成しても良く、斯様に構成すれば、部分表示パターンは、表示制御手段によってその都度多様に作成される。従って、表示される歌詞の割合、パターンを変化させることができ、歌唱の難度を多様に設定して楽しむことができる。
【０００９】
非表示となる歌詞の部分が予め設定されている部分表示パターンが記憶される記憶手段を備え、前記表示制御手段を、部分表示を行う場合に、前記記憶手段に記憶されている部分表示パターンを読出して表示させる選択機能を有した構成としても良く（請求項３）、斯様に構成すれば、予め歌詞の適当な部分を非表示にして作成された部分表示パターンを選択させることが可能となる。
【００１０】
前記表示制御手段を、部分表示について、前記設定機能または前記選択機能を切換え可能に構成しても良く（請求項４）、斯様に構成すれば、部分表示パターンがより多様化される。
また、表示制御手段を、前記非表示となる歌詞の部分をマスクした状態で表示するように構成しても良い（請求項５）。
【００１１】
前記表示制御手段を、前記表示対象歌詞を部分表示する部分表示モードと、前記歌詞表示手段の画面への表示対象歌詞を全部表示する全表示モードと、歌詞を全く表示しない無表示モードとを選択可能に構成しても良く（請求項６）、斯様に構成すれば、無表示モードを選択することにより、歌い手のレベルに応じて、カラオケ曲の歌詞を正しく歌うことをより難しくし得る。
【００１２】
更に、歌詞表示手段は、歌い手用の第１の歌詞表示手段及び聞き手用の第２の歌詞表示手段を有し、前記表示制御手段を、前記モードの選択を前記第１及び第２の歌詞表示手段について夫々独立に行い得るように構成しても良く（請求項７）、斯様に構成すれば、歌い手側と聞き手側との表示モードを夫々適宜に設定し得て、歌い手の歌唱をより楽しむことができる。例えば、聞き手用の第２の歌詞表示手段を全表示モードにしておけば、歌い手がどれ程正確に歌うことができるかを知ることができる。
【００１３】
また、歌い手の音声を入力して電気信号に変換する音声入力手段と、カラオケ曲に合わせて歌われる旋律に対して予め定められている発声タイミングと、前記音声入力手段に入力された音声の発声タイミングとの一致度を判定するタイミング判定手段と、タイミング判定手段により得られた音程及び発声タイミングの一致度に基づいて、歌い手の歌唱力を採点する歌唱力採点手段とを具備した構成としても良く（請求項８）、斯様に構成すれば、歌い手が、カラオケ曲の歌詞の記憶程度に応じて、カラオケ曲に合わせて歌われる旋律に対して正しい発声タイミングで歌唱することができた一致度が、歌唱力採点手段により歌唱力として採点される。
【００１４】
加えて、前記音声入力手段により入力された電気信号に基づいて歌い手の音声を認識し、その認識された音声の文言と歌詞の文言との一致度を判定する音声認識判定手段を備え、前記歌唱力採点手段を、前記音声認識手段により得られた文言の一致度をも加味して歌い手の歌唱力を採点する構成とするのが好適であり（請求項９）、斯様に構成すれば、歌い手が、カラオケ曲の歌詞の記憶程度に応じて、正しい歌詞で歌うことができた一致度が、歌唱力採点手段により歌唱力として採点される。
【００１５】
【発明の実施の形態】
以下、本発明の一実施例について図面を参照して説明する。本実施例におけるカラオケ装置の電気的構成を示す図１において、操作パネル１は、テンキーなどを含む各種の操作キーからなり、その操作信号は、表示制御手段たるマイクロコンピュータ（以下、マイコンと称す）２に与えられるようになっている。尚、マイコン２は、周知のＣＰＵ，ＲＯＭ，ＲＡＭなどで構成されている。
【００１６】
また、操作パネル１には、赤外線などによって通信を行うリモコン１ａが備えられており、選曲などを遠隔操作できるようになっている。そのマイコン２の入出力ポートは、記憶手段たるハードディスク３に対して各種データが書込み及び読出し可能となるように接続されている。
【００１７】
モデム４は、図示しないホストコンピュータより電話回線を介して送信されるカラオケ曲データを受信したり、マイコン２が、各カラオケ曲がどの様な頻度で利用されているかなどの情報をホストコンピュータへ送信する場合に使用される変復調装置である。ホストコンピュータは、カラオケ装置の利用が行われない夜間などの時間帯に新しいカラオケ曲のデータを送信するようになっており、送信されたカラオケ曲データは、マイコン２によってハードディスク３に書込み記憶される。このカラオケ曲データは、後述するように、楽音データ及び歌詞データから構成されている。
【００１８】
マイコン２の出力ポートは、ＭＩＤＩ（Musical Instrument Digital Interface）音源４及びビデオミキサ５の一方の入力端子に接続されており、ＭＩＤＩ音源４の出力端子は、オーディオミキサ６を介してスピーカ７に接続されている。ＭＩＤＩ音源４は、シンセサイザなどで構成されており、与えられたＭＩＤＩ信号に応じて各種楽器の楽音を再生し、オーディオミキサ６に出力するようになっている。
【００１９】
ビデオミキサ５の出力端子は、２つのＣＲＴ８及び９に夫々接続されている。ＣＲＴ（第１の歌詞表示手段）８は、カラオケの歌い手が見るために歌い手側に設けられており、ＣＲＴ（第２の歌詞表示手段）９は、歌い手以外の聞き手が見るために聞き手側に設けられている。両者は、互いの側の画面を見ることができない位置関係で配置されている。
【００２０】
また、マイコン２の出力ポートは、ディスクプレーヤ１０の入力端子に接続されている。そのディスクプレーヤ１０の出力端子は、ビデオミキサ５の他方の入力端子に接続されている。ディスクプレーヤ１０には、例えばＣＤ−ＲＯＭからなるビデオディスクが内蔵されており、そのビデオディスクには、カラオケ曲が再生されている場合に、ＣＲＴ８及び９に背景映像として出力するための映像データがＭＰＥＧ規格によって圧縮された状態で記憶されている。
【００２１】
ハードディスク３には、マイコン２を介してＭＩＤＩ音源４に与えられるカラオケの楽音データ（ＭＩＤＩ信号）と共に、ビデオミキサ５によって前記背景映像に合成された状態でＣＲＴ８及び９に表示されるカラオケ曲の歌詞の画像データ（以下、歌詞データと称す）が記憶されている。
【００２２】
マイク（音声入力手段）１１の出力端子は、オーディオミキサ６の他方の入力端子に接続されている。マイク１１は、入力された歌い手の音声を電気信号に変換して出力し、オーディオミキサ６は、その音声信号とＭＩＤＩ音源４において再生されたカラオケ曲の楽音信号を設定された音量バランスに基づいて混合（ミキシング）し、スピーカ７に出力するようになっている。
【００２３】
また、マイク１１の音声信号はオーディオミキサ６を介して歌唱力採点手段たる採点装置１２の入力端子に与えられるようになっており、採点装置１２の入出力端子は、マイコン２の入出力ポートに接続されている。この採点装置１２は、内部に音程認識判定部１２ａ，タイミング判定部（タイミング判定手段）１２ｂ及び音声認識判定部（音声認識判定手段）１２ｃを有している。そして、これらによってマイコン２から与えられるカラオケ曲として歌われる旋律に関する音程やタイミングなどのデータや歌詞データと、マイク１１から入力される音声データをＡ／Ｄ変換したものとを比較して、その結果をマイコン２に出力するようになっている。以上がカラオケ装置を構成している。
【００２４】
次に、本実施例の作用について説明する。カラオケ装置の利用者は、先ず、操作パネル１若しくはリモコン１ａの各種キーを操作して、歌い手が選択した曲に割当てられている番号（曲番号）を入力する。また、この時、ＣＲＴ８及び９において表示対象とする歌詞の表示モードを夫々選択する。歌詞の表示モードは、全ての歌詞を表示する“全表示モード”，歌詞を部分的に表示する“部分表示モード”，歌詞を全く表示しない“無表示モード”の３つがあり、ＣＲＴ８及び９について夫々独立に設定が可能である。
【００２５】
この場合、上記３つのモードのＣＲＴ８及び９に対する設定の内で、利用頻度が比較的高いと思われる組合わせを例えば図２に示すように予め用意しておき、ＣＲＴ８及び９に表示させて利用者に選択させるようにしても良い。ここでは、ＣＲＴ８については部分表示モード、ＣＲＴ９については全表示モードが選択されたとする。
【００２６】
また、マイコン２は、部分表示モードが選択されたときには、ＣＲＴ８または９に表示される歌詞の全部に対して一部分を非表示にする割合である消去率を選択させるようにする。尚、ＣＲＴ８若しくは９について、無表示モードが選択された場合には、選択された方のＣＲＴには歌詞データは表示されない。
【００２７】
以上のようにして曲番号及び表示モードが入力されると、マイコン２は、その曲番号に応じた楽音及び歌詞データをハードディスク３から読出して、楽音データをＭＩＤＩ音源４に出力し、その楽音データに同期させて歌詞データをビデオミキサ５に出力する。ＭＩＤＩ音源４は、与えられたＭＩＤＩ信号に応じて各種楽器の音色に相当する楽音を夫々出力して、カラオケ曲の楽音信号をオーディオミキサ６に与える。
【００２８】
また、マイコン２は、上記曲番号に応じた適当な映像データが出力されるように、ディスクプレーヤ１０に選択信号を出力する。すると、ディスクプレーヤ１０は、ビデオディスクから選択信号に応じた映像データを読出し、ＮＴＳＣ信号に変換してビデオミキサ５に出力する。ビデオミキサ５は、マイコン２により与えられた部分表示及び全表示歌詞データをディスクプレーヤ１０により出力された映像信号に夫々合成してＣＲＴ８及び９に出力する。ＣＲＴ８及び９は、与えられた映像データを画面に表示する。
【００２９】
ここで、図３は、ハードディスク３に記憶されている歌詞データのフォーマットの一例を示すものである。カラオケ曲の進行に応じてＣＲＴ８及び９に１画面ずつ表示させる歌詞、即ち、表示対象歌詞は、１２文字×２列の２４文字（ブランクを含む）となっている。そして、前述のように部分表示モードが選択されて、消去率が４０％と入力された場合は、２４文字のうちの４０％である約１０文字をマスク（消去）して非表示にする。
【００３０】
マイコン２は、入力された消去率からマスクする文字数を上記のように計算して、２４文字のうち、所定の消去プログラムに基づいて演算した結果（例えば、データの先頭アドレスに消去文字数“１”を加え、その加算されたアドレスに順次消去文字数をインクリメントして加えて行くなど）選択した１０文字に“＊”を割当てマスクした状態で表示させる。但し、ブランクがマスクの対象に割当てられた場合は、ブランクをそのまま表示する。以上の処理を全ての歌詞データについて行うことにより、部分表示パターンを作成する。
【００３１】
図４（ａ）及び（ｂ）は、ＣＲＴ８及び９の画面表示状態の一例を示すものである。同図（ａ）は、部分表示モードが選択された場合のＣＲＴ８の表示状態であり、歌詞が所々“＊”でマスクされた、所謂“虫食い”の状態で表示されている。同図（ｂ）は、全表示モードが選択された場合のＣＲＴ９の表示状態であり、歌詞が全て表示されている。
【００３２】
一方、オーディオミキサ６に与えられたカラオケ曲の楽音信号は、設定された音量レベルに応じて増幅されてスピーカ７に与えられることにより、カラオケ曲として再生される。歌い手は、そのカラオケ曲を聞き、且つ、ＣＲＴ８の虫食い状態の歌詞表示を見ながらマイク１１に音声を入力して歌を歌う。マイク１１に入力された音声は電気信号に変換されて、オーディオミキサ６において設定された音量レベルに応じて増幅され、カラオケ曲と共にスピーカ７から出力される。
【００３３】
この場合、歌い手は、ＣＲＴ８の虫食い状態の歌詞表示を見ながら歌わなければならないので、その曲の歌詞を正確に覚えていなければ正しく歌うことができない。また、ＣＲＴ８について無表示モードが選択された場合には、歌詞は全く表示されなくなり、正しく歌うことが一層難しくなる。そして、聞き手は、ＣＲＴ９の通常の歌詞表示を見ながら歌い手の歌を聞くことができるので、歌い手が歌詞を間違えて歌った場合には直ぐに分かるようになっている。
【００３４】
また、マイク１１に入力された音声は、Ａ／Ｄ変換されて採点装置１２に入力され、音程認識判定部１２ａ，タイミング判定部１２ｂ及び音声認識判定部１２ｃにおいて夫々の要素について判定が行われる。
【００３５】
音程認識判定部１２ａは、マイク１１に入力された音声の音程を認識して、その音程がマイコン２より与えられるカラオケ曲に合わせて歌われるべき正しい旋律の音程（例えば、カラオケ曲に含まれているガイドメロディーの音程）とどの程度一致しているかを所定の間隔（例えば、０．１秒）毎に判定して、音程一致度を評価する。例えば、正しい音程に対して±何セントずれているかに応じて減点数を設定し、所定の持点（例えば、１００点）から順次減算して行く。最終的に（カラオケ曲が終了した時点で）残った点数が高いほど、音程一致度が高いことになる。
【００３６】
タイミング判定部１２ｂは、マイク１１に入力された音声の発声タイミングを、例えば上記ガイドメロディーについて、上記所定間隔に同期させて、歌詞の適当な文節に応じて設定した発声タイミングとどの程度一致しているかをタイミング一致度として判定する。例えば、正しい発声タイミングに対して±何ｍ秒ずれているかに応じて減点数を設定し、所定の持点から順次減算して行く。最終的に残った点数が高いほど、タイミング一致度が高いことになる。
【００３７】
音声認識判定部１２ｃは、マイク１１に入力された音声の文言自体を認識して、その文言がマイコン２より与えられるカラオケ曲の歌詞の文言とどの程度一致しているかを、上記所定間隔に同期した文言の発声タイミングにおいて文言一致度を評価する。例えば、正しい歌詞の文言が“ぼく”であるの対して、歌い手が  “おれ”と歌ってしまった場合は減点１として、所定の持点から順次減算して行く。最終的に残った点数が高いほど、文言一致度が高いことになる。
【００３８】
カラオケ曲が終了した時点で、上記３つの判定部１２ａ，１２ｂ及び１２ｃが出力した各一致度の点数を例えば相加平均することにより、歌い手の総合的な歌唱力の点数が採点される。従って、従来は存在しなかった“曲の歌詞をどれくらい正確に覚えているか”という要素を加味した上で、歌い手の歌唱力が採点されることになる。採点された点数は、マイコン２に出力され、ＣＲＴ８及び９の画面に夫々表示される。
【００３９】
以上のように本実施例によれば、ＣＲＴ８及び９において夫々表示対象とするカラオケ曲の歌詞データを、通常通り全部表示させる全表示モード，虫食い状態で表示させる部分表示モード，歌詞を全く表示させない無表示モードとが、ＣＲＴ８，９について独立に選択可能であり、マイコン２は、選択された表示モードに応じてＣＲＴ８，９に夫々歌詞を表示させ、歌い手はＣＲＴ８の歌詞表示を見ながらカラオケ曲に合わせて歌い、聞き手はＣＲＴ９の歌詞表示を見ながら歌い手の歌唱を聞くようにした。
【００４０】
従って、ＣＲＴ８について部分表示モードが選択された場合は、歌い手は、ＣＲＴ８の虫食い状態の歌詞表示を見ながら歌わなければならず、そのカラオケ曲の歌詞を正確に覚えていなければ正しく歌うことが難しくなるが、部分的には歌詞が表示されることにより、歌詞の知らない部分を類推して歌うことも可能である。また、無表示モードが選択された場合には、歌詞表示が全くない状態で歌わなければならないので、歌詞を正しく歌うことがより難しくなる。そして、聞き手は、ＣＲＴ９について全表示モードを選択すれば、通常の歌詞表示を見ながら歌い手の歌を聞くことができるので、歌い手が歌詞を正確に歌っているか否かを知ることができる。
【００４１】
よって、聞き手は、歌い手がカラオケ曲の歌詞をどれだけ正確に歌うことができるか、という新たな興味をも加えてカラオケ曲を楽しむことができ、また、歌い手にとっても、自分がカラオケ曲をどの様にして歌いこなすか、というゲーム的な要素が加わることにより、総じて、娯楽性を高めることができる。
【００４２】
また、本実施例によれば、採点装置１２は、マイク１１に入力された歌い手の音声を、音程認識判定部１２ａ，タイミング判定部１２ｂ及び音声認識判定部１２ｃにおいて、歌い手の歌唱がカラオケ曲に合わせて歌われる旋律に対してどの程度音程，発声タイミングが一致しているか、また、カラオケ曲に合わせて歌われる歌詞に対してどの程度文言が一致しているかを判定して採点した。
【００４３】
従って、従来は歌唱力の採点要素としては存在しなかった、歌詞の正確さ、という点を加味して採点することにより、歌い手が、カラオケ曲の歌詞をどれだけ正確に歌うことができるか、という興味を一層高めることができ、カラオケ曲をより楽しむことができる。
【００４４】
更に、本実施例によれば、マイコン２は、部分表示モードにおいて、歌詞の一部分を非表示にする割合である消去率を設定可能な設定機能を有し、その消去率が設定されると、消去率に応じた部分表示パターンを演算により作成するようにしたので、部分表示パターンを予めハードディスク３に記憶させるための記憶容量を余分に必要とせず、また、予め決められた部分表示パターンを読出す場合に比べて、非表示部分をその都度変えることができるので、部分表示パターンを多様化させることができる。
【００４５】
本発明は上記し且つ図面に記載した実施例にのみ限定されるものではなく、次のような変形または拡張が可能である。
カラオケ曲の歌詞データと、その歌詞データについて非表示となる歌詞の部分が予め設定されている部分表示パターンとの両方をホストコンピュータから送信してハードディスク３に記憶させるようにし、表示制御手段を、部分表示モードが選択されると、前記部分表示パターンを選択する選択機能を有するように構成しても良い。斯様に構成すれば、例えば図５（ａ），（ｂ）に示すように、非表示にするのに適当と思われる歌詞を適宜選択して（例えば、名詞と形容詞とのどちらか一方や、主語と術語とのどちらか一方を非表示にして、表示されている部分から非表示の部分を推定し易くするなど）作成された部分表示パターンを表示させることができる。
また、歌詞の消去率に応じて、消去する文言を予め設定した複数の部分表示パターンをハードディスク３に記憶させておき、表示制御手段は、入力された消去率に対応する部分表示パターンを読出すようにしても良い。斯様に構成すれば、表示制御手段の処理負担を軽減することができる。
【００４６】
更に、表示制御手段を、部分表示モードにおいて、歌詞の消去率を設定可能な設定機能と、ハードディスク３に記憶された部分表示パターンを選択する選択機能とが切替え可能となるように構成しても良い。斯様に構成すれば、部分表示パターンの選択がより多様化される。
無表示モード及び全表示モードについては、必要に応じて選択可能とすれば良く、例えば、表示制御手段を全表示モードと部分表示モードとについてのみ選択可能としたり、無表示モードと部分表示モードとについてのみ選択可能としたり、また、歌詞の部分表示のみを行う構成としても良い。
採点装置１２の歌唱力の採点は、３つの判定部１２ａ，１２ｂ及び１２ｃが出力した各一致度の点数を相加平均するものに限らず、各点数の総和を計算したり、また、各点数を個別にマイコン２に対して出力するようにして、個別にＣＲＴ８及び９に表示させるようにしても良い。
歌唱力採点手段を、音程認識判定部１２ａを除いて構成し、歌い手の音声の発生タイミング及び歌詞の文言の一致度のみによって採点するようにしても良い。また、音声認識判定部１２ｃをも除いて構成し、歌い手の音声の発生タイミングの一致度のみによって採点するようにしても良い。
【００４７】
聞き手用のＣＲＴ９は、必要に応じて設ければ良い。
消去率が設定された場合に、歌詞の内で非表示にする文字を割当てる方式は、実施例に示したものに限らず、例えば、非表示にする文字が１０文字であれば、表示対象歌詞の先頭若しくは末尾から１０文字連続で非表示にしたり、１文字おきに非表示にしたりするなど適宜変更して良い。
また、消去率に応じて歌詞を非表示にする部分を演算によって設定するものに限らず、非表示にする部分を使用者にリモコン１ａ等によってその場で指定させて、表示制御手段は、その指定させた部分について歌詞を非表示にする構成としても良い。
【００４８】
表示対象歌詞のフォーマットは、１２文字×２列の２４文字に限ること無く、適宜変更して良く、例えば全ての歌詞を一画面に一度で表示させるものであっても良い。
ディスクプレーヤ１０が再生するビデオディスクは、ＣＤ−ＲＯＭに限ること無く、ＤＶＤ（Digital Versatile Disk）やアナログのＬＤ(Laser Disk)でも良い。
ＣＲＴ８及び９の表示モードの組合わせは、実施例に示したものに限らず、例えば、ＣＲＴ９についても部分表示モードにすることにより、聞き手もカラオケ曲の歌詞を推定しながら聞くようにしたり、また、両者を全表示モードに設定して従来と同様に使用しても良い。
ＣＲＴ８及び９は、歌詞表示のみを行うように構成しても良い。
【００４９】
【発明の効果】
本発明は以上説明した通りであるので、以下の効果を奏する。
請求項１記載のカラオケ装置によれば、表示制御手段は、歌詞表示手段の画面への表示対象歌詞を部分表示し、その部分表示について、歌詞の全部に対して一部分を非表示にする割合を設定可能な設定機能を有するので、カラオケ曲の歌い手は、その曲の歌詞を正確に記憶していないと正しく歌うことが難しくなり、カラオケ曲を楽しむ要素として、歌い手がその曲の歌詞をどの程度正確に歌うことができるか、という点を加えることができ、娯楽性を高めることができる。
【００５０】
請求項２記載のカラオケ装置によれば、前記表示制御手段は、前記設定機能により歌詞の全部に対して一部分を非表示にする割合が設定されると、その割合に応じた部分表示パターンを演算によって作成するので、表示対象歌詞の部分表示パターンを予め記憶させることなく、多様化させることができる。
【００５１】
請求項３記載のカラオケ装置によれば、前記表示制御手段は、部分表示を行う場合に、記憶手段に記憶されている部分表示パターンを読出して表示する選択機能を有したので、歌詞の適当な部分を非表示にして作成された部分表示パターンを選択させることが可能となる。
【００５２】
請求項４記載のカラオケ装置によれば、前記表示制御手段は、部分表示について、前記設定機能または前記選択機能が切換え可能としたので、部分表示パターンをより多様化することができる。
請求項５記載のカラオケ装置によれば、表示制御手段は、非表示となる歌詞の部分をマスクした状態で表示する。
【００５３】
請求項６記載のカラオケ装置によれば、前記表示制御手段は、表示対象歌詞を部分表示する部分表示モードと、前記歌詞表示手段の画面への表示対象歌詞を全部表示する全表示モードと、歌詞を全く表示しない無表示モードとを選択可能にしたので、無表示モードを選択すれば、歌い手のレベルに応じて、カラオケ曲の歌詞を正しく歌うことをより難しくすることができる。
【００５４】
請求項７記載のカラオケ装置によれば、歌詞表示手段は、歌い手用の第１の歌詞表示手段及び聞き手用の第２の歌詞表示手段を有し、前記表示制御手段は、前記モードの選択を前記第１及び第２の歌詞表示手段について夫々独立に行い得るようにしたので、歌い手側と聞き手側との表示モードを夫々適宜に設定し得て、歌い手の歌唱をより楽しむことができる。
【００５５】
請求項８記載のカラオケ装置によれば、歌唱力採点手段は、カラオケ曲に合わせて歌われる旋律に対して予め定められている発声タイミングと、音声入力手段に入力された歌い手の音声の発声タイミングとの一致度を判定して、その一致度に基づいて歌い手の歌唱力を採点するので、歌い手が、カラオケ曲の歌詞の記憶程度に応じて、いかに正しい発声タイミングで歌唱することができたかを評価して楽しむことができる。
【００５６】
請求項９記載のカラオケ装置によれば、前記歌唱力採点手段は、音声認識判定手段によって歌い手の音声を認識し、その認識された音声の文言と歌詞の文言との一致度を判定して、その文言の一致度をも加味して歌い手の歌唱力を採点するので、歌い手が、カラオケ曲の歌詞の記憶程度に応じて、いかに正しい歌詞で歌うことができたかを評価して楽しむことができる。
【図面の簡単な説明】
【図１】  本発明の一実施例における電気的構成を示すブロック図
【図２】  ＣＲＴ毎の表示モードの選択パターンを示す図
【図３】  表示対象歌詞のデータフォーマットを示す図
【図４】  各ＣＲＴの歌詞の表示状態を示す図で、（ａ）は歌い手側のＣＲＴ，（ｂ）は聞き手側のＣＲＴを示す図
【図５】  表示対象歌詞の部分表示パターンを予め記憶させておく場合の例を示す図
【符号の説明】
２はマイクロコンピュータ（表示制御手段）、３はハードディスク（記憶手段）、８はＣＲＴ（第１の歌詞表示手段）、９はＣＲＴ（第２の歌詞表示手段）、１１はマイク（音声入力手段）、１２は採点装置（歌唱力採点手段）、１２ｂはタイミング判定部（タイミング判定手段）、１２ｃは音声認識判定部（音声認識判定手段）を示す。
【図１】
0003962114.tif 000002
【図２】
0003962114.tif 000003
【図３】
0003962114.tif 000004
【図４】
0003962114.tif 000005
【図５】
0003962114.tif 000006